(57)【要約】【目的】  遊技盤前面の遊技部に装置される可変表示装置の表示画面を打球落下のための通過を妨げることなく拡張することを可能にして大型化を実現する。【構成】  遊戯盤（１）に開設する窓（５）に装着する可変表示装置（４）の表示画面（６）を囲む枠体（１０）には該枠体（１０）の上部の隅部（１３ａ，１３ｂ）を斜めに渡り前記表示画面（６）の前面を横切る誘導橋（１２）を付設し、前記表示画面（６）の上方から落下する打球を前記枠体（１０）の上縁部（１０ａ）から前記誘導橋（１２）を通して表示画面（６）の側方に誘導して打球通過領域（１４ａ，１４ｂ）に放出するようする。【選択図】        図１
2006304911.tif 000002
【特許請求の範囲】
【請求項１】
遊技盤前面の遊技部中央に可変表示装置の表示画面を設置してなるパチンコ遊技機において、
前記表示画面を囲む枠体の前縁部を前記遊技盤の前面に揃える一方、該枠体の上部左右の隅部、若しくはいずれか一方の隅部に該隅部を斜めに横切って誘導橋を渡し、前記枠体上方からの打球を該誘導橋を通して前記枠体の側方に誘導放出することを特徴としたパチンコ遊技機。
【請求項２】
請求項１の記載において、誘導橋は表示画面を囲む枠体と一体に形成することを特徴としたパチンコ遊技機。
【請求項３】
請求項１の記載において、表示画面を囲む枠体と誘導橋とを個別に形成し、前記枠体の隅部には装着受部を、他方前記誘導橋の端部には装着係止部をそれぞれ形成して前記装着受部に前記装着係止部を係合することによって前記枠体の隅部に前記誘導橋を装着組付けることを特徴としたパチンコ遊技機。
【請求項４】
請求項１乃至３の記載において、誘導橋は上面の中央部に長さ方向に沿って誘導凹部を形成することを特徴としたパチンコ遊技機。
【請求項５】
請求項１乃至３の記載において、誘導橋は後縁部に長さ方向に沿って転落防止用壁を立設することを特徴としたパチンコ遊技機。
【請求項６】
請求項１乃至５の記載において、誘導橋は透明素材で形成することを特徴としたパチンコ遊技機。
【請求項７】
請求項１の記載において、誘導橋は表示画面を囲む枠体の上部左右の隅部に渡る誘導橋の上端側端部同志を連続させて前記表示画面の上縁部を囲み、該表示画面上方からの打球を表示画面の左右いずれかに振分け誘導することを特徴としたパチンコ遊技機。
【請求項８】
請求項７の記載において、上部左右の隅部に渡る左右の誘導橋は上端側端部間に振分け凸部材を介挿し、一体に連続させることを特徴としたパチンコ遊技機。
【発明の詳細な説明】
【技術分野】
【０００１】
本発明は、遊技盤の前面中央部に可変表示装置の表示画面を設置してなるパチンコ遊技機に関する。
【背景技術】
【０００２】
遊技盤の前面中央部に可変表示装置の表示画面を設置し、遊技内容を画像を通して演出し、遊技者の興趣を高めるようにしたパチンコ遊技機が近時数多く提案されており、これが機種の主流となっている。
この可変表示装置付き遊技機の最大の特徴は、遊技の進行が表示画面に表われる画像を通して、特に一定のストーリーに従って動画として表現され、画像によって表示されることであり、これにより遊技者は遊技の次の展開を予測することが可能になることから更に興趣が高められることになる。
【０００３】
この様なことから、遊技者は遊技中に遊技盤面に打ち出される打球の落下状況を観ることも去ることながら、主として表示画面を注視することになり、画像を通して遊技の進行状況を把握しようとする傾向にある。そのため、画像には遊技者の興趣が殺がれないように演出効果の高いキャラクターものを採用する等の工夫が凝らされているが、更にこの効果を高める上から画像を大型化し、その動作の拡大が望まれている。
【０００４】
画像の大型化，画像動作の拡大は表示画面を大型化することによって達成することができるが、周知の様に遊技盤は多少の違いはあるものの大きさが略確定しており、これに伴って前面の遊技部も広さが限られるため、任意に画面の大型化を図ることができないものとなっている。
この画面の大型化を阻む大きな要因は、画面隅部と遊技部を形成するレール乃至飾り枠との間隔が狭くなり、表示画面の側部を通して落下する打球の通過領域が狭まることにある。
【０００５】
上記打球の通過領域の縮小に伴う問題は、遊技部に打込まれた打球の円滑な落下を妨げるばかりでなく、落下する打球の自然な動きが妨げられて打球の変化が失われることにあり、これによって表示画面の側方乃至下方に設置される入賞口、ことに表示画像に関係する始動入賞口への打球の自由な誘導が妨げられることにある。
【０００６】
このことから、従来打球を通す上からレールと表示画面との間には所定の間隔を確保することにしてあり、表示画面の大型化を断念しているのが実情である。
この問題の解決策として表示画面の前面に透明保護カバーを付設して、この透明保護カバーに釘を植設し、表示画面の前面に沿って落下する打球をこの釘によって表示画面の側方に誘導するようにすることによって表示画面の大型化を可能にすること（例えば特許文献１）、や遊技盤を透明な合成樹脂製にして、遊技盤の全面に釘の打付けを可能にし、これによって表示画面の前面側にも打球を誘導する釘の配列を行えるようにして任意の大きさの表示画面の設置を可能にしたもの（例えば特許文献２）等の方法がある。
【０００７】
また、上記表示画面の前面部分に打球誘導のための釘の植設を可能にすることによって表示画面の大型化を図るのに代えて、表示画面の上縁部から側縁部に亘って誘導通路を形成し、上縁部に形成する入口に飛入する打球をこの通路を通して側縁部の下端乃至下縁部に開口する出口から放出し、始動入賞口を始めとする入賞口に誘導するようにしたもの（例えば特許文献３，４）等がある。  
【特許文献１】特開平１１−５７１２２号公報
【特許文献２】特開２０００−８４１６４公報
【特許文献３】特開２００１−１７６８５公報
【特許文献４】特開平１１−１９２８９号公報
【０００８】
上記特許文献１及び２に開示される解決策は、可変表示装置の表示画面の前面に釘の植設を可能にすることから、レールとの関係を考慮することなく自由な大きさの表示画面とすることができるが、しかし、特許文献１においては特別な透明保護カバーの設置が必要であり、また特許文献２においては遊技盤自体を特定素材によって形成する必要があり、通常のベニア板を素材として形成される一般の遊技機において、これをそのまま実施することはできない。
【０００９】
また、特許文献３に記載される解決策は、天下入賞口１９に受けた打球を図柄表示部１６の側方を迂回して設けた球誘導樋２０に通してその下方の出口から入賞装置７に向けて放出するものであり、特許文献４に記載のものは表示面６２を囲んで配置されるワープ通路４４に球入口４２からの打球を通し、下方の球出口４８から放出し、始動入賞口１６に誘導するものである。
従って、これらの手段を採用すれば、表示画面とレールとの間には前記球誘導樋２０や
ワープ通路４４を通すに充分な空間を残して表示画面の拡張が可能となるため、画面の大型化を実現することができる。
【００１０】
しかし、上記特許文献３，４による場合は、表示画面の上方から下方に移行する間、打球は特定の通路を誘導され一定の位置から一定の位置に画一的に移動するに過ぎないため、この間打球には全く変化がなくなり、遊技盤面を自由に落下するようなパチンコ遊技機本来の期待感や意外性が損われることになる。
【発明の開示】
【発明が解決しようとする課題】
【００１１】
従って、本発明は上述従来の実情に鑑み、遊技盤に対する特別な条件を求めることなく、また表示画面の側方を通過する打球が画一的に誘導されることなく、落下時の自由性を確保したまゝ表示画面の側方乃至下方に配置される入賞口に向けて誘導できる状態において表示画面の大型化を実現するパチンコ遊技機を提案することにある。
【００１２】
前述したように、可変表示装置の表示画面の大型化は、表示画面が横長の矩形状をなすことから画面の拡張を図ると、上部の両隅部が拡張分に合せて遊技部を形成するレールに接近し、この間に通る打球の通過領域（空間）を狭めることになり、打球の円滑な流れを阻害することになる。
特に、表示画面の上部隅部の張り出しは中央部に打ち出された打球を側方に誘導するための傾斜角を確保する上で障害となり、更に狭い通過領域による絞り込みによって落下ルートが特定化するため、入賞口直前における打球の変化を乏しくすることになる。本発明はこれらの問題を解消した上で、表示画面の大型化を可能にしたものである。
【課題を解決するための手段】
【００１３】
本発明は、上記課題を解決するため大型化される表示画面の上部隅部にこの隅部の前方を横切る誘導橋を付設して表示画面の上部に打ち込まれ、表示画面の前面に向けて落下する打球をこの誘導橋を通して表示画面の前面を横切らせ、表示画面の側方に開く通過領域（空間）に誘導し、放出するようにしたことにある。
【００１４】
表示画面は、前述したように横長矩形状をなすことから大型化することによって左右の上部隅部がレールに接近することになるが、この場合でも表示画面の側縁部は円弧状に配設されるレールとの間に充分な広さが確保されることから、ここに放出される打球は自由な動きが確保されることになる。そして、この広さは釘の植設を可能とするため打球の誘導に自由さを与えながら、変化のある落下を可能にする。
【００１５】
更に本発明を詳述すると、遊技盤前面の遊技部中央に可変表示装置の表示画面を設置してなるパチンコ遊技機において、前記表示画面を囲む枠体の前縁部を前記遊技盤の前面に揃える一方、該枠体の上部左右の隅部、若しくはいずれか一方の隅部に該隅部を斜めに横切る誘導橋を渡し、前記枠体上方からの打球を該誘導橋を通して前記枠体の側方に誘導放出することを特徴としたパチンコ遊技機を提供することにある。
【００１６】
また本発明は、前記誘導橋は表示画面を囲む枠体と一体に形成することを特徴としたパチンコ遊技機を提供することにある。
【００１７】
また本発明は、前記表示画面を囲む枠体と誘導橋とを個別に形成し、前記枠体の隅部には装着受部を、他方前記誘導橋の端部には装着係止部をそれぞれ形成して前記装着受部に前記装着係止部を係合することによって前記枠体の隅部に前記誘導橋を装着組付けることを特徴としたパチンコ遊技機を提供することにある。
【００１８】
また本発明は、前記誘導橋は上面の中央部に長さ方向に沿って誘導凹部を形成することを特徴としたパチンコ遊技機を提供することにある。
【００１９】
また本発明は、前記誘導橋は後縁部に長さ方向に沿って転落防止用壁を立設することを特徴としたパチンコ遊技機を提供することにある。
【００２０】
また本発明は、前記誘導橋は透明素材で形成することを特徴としたパチンコ遊技機を提供することにある。
【００２１】
また本発明は、前記誘導橋は表示画面を囲む枠体の上部左右の隅部に渡る誘導橋は上端側端部同志を連続させて前記表示画面の上縁部を囲み、該表示画面上方からの打球を表示画面の左右いずれかに振分け誘導することを特徴としたパチンコ遊技機を提供することにある。
【００２２】
また本発明は、前記上部左右の隅部に渡る左右の誘導橋は上端側端部間に振分け凸部材を介挿し、一体に連続させることを特徴としたパチンコ遊技機を提供することにある。
【００２３】
上記本発明において、前記表示画面を囲む枠体は、表示画面を収容するケーシング本体と一体のものであっても、また別体に形成されるものであってもよく、その前縁部が遊技盤の前面に揃えて設置されるものであればよい。
この枠体の前縁部を遊技盤の前面に揃える理由は、隅部を横切って渡される誘導橋が上記前縁部から突き出して遊技盤の前面に沿って落下する打球を受けて枠体の上方から側方に誘導することができるようにすることから求められる位置関係によるものである。
【００２４】
従って、ここにおける枠体の前縁部は誘導橋を付設する枠体の左右上部の隅部における前縁部を基準とするものであり、枠体の上枠部の中央部分、左右の側枠部、更には下枠部については、その各前縁部が遊技盤の前面から突出する構造のものであってもよい。
【００２５】
尚、上記枠体は、遊技盤に開設する窓の背後から臨ませる表示画面の周縁部を飾るものであり、実質的には上記窓の内周面の切口を被い隠すものであって、遊技盤の板厚に合せた奥行きをもって形成されることになる。そして、その前縁部外周部には好ましくは窓の開口部縁の露出を防止するためのフランジを外に向けて張り出すように設けることが望まれる。
【００２６】
この様に構成してなる本発明によれば、遊技盤の前面にレールの囲みによって形成される遊技部の中央に仮に大型の表示画面を設置し、この表示画面の左右の上部隅部が上記レールの内周に接近し、隅部とレールとの間隔が狭まって打球の通過領域が狭められ、通過が困難になったり、或は打球落下のルートが特定化される状態になっても表示画面の上方に打ち出された打球は表示画面の上縁部からそのまま上部左右の隅部に送られることなく、この上部隅部を横切って斜めに渡される誘導橋を通して表示画面の側方の広い空間に直接放出されることになるため、その流れが滞ることがなく、しかも放出された打球はこの広い空間（通過領域）の中で左右に移動が自由となるため、落下のルートの特定化も回避されることになる。
【００２７】
ところで、表示画面は上部隅部に渡る誘導橋によって画面の一部が被い隠されることになるが、誘導橋の板厚を薄くすることによって、或は透明な合成樹脂素材によって形成することにより視覚の遮蔽を最小にすることが可能である。
また、この誘導橋は隅部を斜めに横切って渡されることから隅部の画面は露出することになり、画面中央部の大部分の露出面との連続性が確保されることになる。この結果、誘導橋の渡しによって画面の一部が被われるものの拡大される画面の広がりを実感することの妨げとはならない。
【００２８】
尚、本発明は前述したように表示画面の上部の左右の隅部に誘導橋を渡す外、表示画面を囲む枠体のデザインによっては、更に言うならば遊技盤全体の設計によって打球を表示画面の一方の側方にのみ通過させる構成とする場合等においては、当然のことながら一方の隅部にのみ誘導橋を設置することになる。
【００２９】
また、この誘導橋は表示画面の枠体に合せて合成樹脂を材料に成形する場合、両者を予め一体物として一体成形しても、また別体に成形して組合せることにしてもよく、それぞれはデザインや成形性を考慮して選択することになる。  
【発明の効果】
【００３０】
以上の構成から、表示画面の大型化によってその上部隅部と遊技部を囲むレールとの間が接近し、この両者間に充分な打球の通過領域（空間）の確保が困難になった場合でも打球を上記隅部を横切って斜めに渡す誘導橋を通して広く開放した表示画面側方に放出することができることから、従来上記レールとの接近を嫌って表示画面の大型化を阻んでいた制約が除かれることになる。従って、この結果本発明によれば、従来にない大型化した表示画面の設置、組付けが可能となった。
【発明を実施するための最良の形態】
【００３１】
次に、本発明を図面に示す実施例１乃至３に基づき、その実施の形態を説明し、特徴とするところを詳述すると共に、その他の特徴につき併せて説明することにする。
【実施例１】
【００３２】
図１乃至図５は本発明に係るパチンコ遊技機の第１の実施例を示すもので、図１は遊技盤の正面図、図２は図１の平面図、図３は図１のＡ−Ａ線に沿って断面とした平面図、図４は要部の拡大斜視図で、図５は図４の分解斜視図である。
図面において、符号１はパチンコ遊技機に対して組込まれる取外し自由にしてなる遊技盤で、２はこの遊技盤１の前面の周縁部に沿って付設し、遊技部３を囲むレールであり、４は遊技盤の上記遊技部３の中央部に開設する窓５に背面側から臨ませた可変表示装置であり、６はその表示画面であり、７は上記可変表示装置を始動するための始動入賞口で、８はこの始動入賞口の下方に設置した大入賞口、９は遊技部３の最下端部に開設したアウト球口である。
【００３３】
レール２は図示しない打球発射装置からの打球を左辺の打球誘導部２ａを通してこのレール２によって囲まれる前記遊技部３へと誘導するようにしてあり、遊技部３に打ち出された打球はその最上位置から落下を開始し、前記表示画面６の上方に落下することになる。
図１には図示されないが、表示画面６の上方には所謂天釘と称される障害釘を始めとして打球の方向を変える多数の釘が植設される。打球はこれらの釘によって左右に振り分けられながら落下することになり、そのまゝ表示画面６の上縁部に向けて落下することになる。
【００３４】
表示画面６は、遊技盤１に開設される窓５の背後から臨み、遊技盤の前面側から保護透明板６ａを通して覗くことができるようになっている。
この表示画面６は画面を囲む矩形に形成した筒形の枠体１０を有し、この枠体を前記窓５の内周に嵌め付けてルータ加工によって切り取られた内周壁面を被い隠すようにしてある。
【００３５】
上記枠体１０は、ここでは可変表示装置４とは別体にしてあり、前縁部には外周面に沿って外に突き出すフランジ１１を一体に有し、遊技盤の窓５に前面側から嵌め付けたとき、このフランジ１１を遊技盤１の前面に当接して面一に揃え、窓５の開口縁を被い隠すと共に、その後縁部を遊技盤１の背面側に突き出して表示画面６の周囲を囲むものにしてある。
【００３６】
図中１２は、上記枠体１０の上枠部１０ａから左右の側枠部１０ｂ，１０ｃに跨って上部における左右の隅部１３ａ，１３ｂを斜めに横切って渡される誘導橋である。
この誘導橋１２は表示画面６の枠体１０の上枠部１０ａに向けて落下する打球を枠体１０の左右の側枠部１０ｂ，１０ｃの外側、つまり両側方に設けられる打球の通過領域（空間）１４ａ，１４ｂに転送誘導するための誘導手段であり、ここでは枠体１０と別体に形成して装着係止部たる係止爪１５‥‥を使って組付けられるようにしてある。
【００３７】
この誘導橋１２は、図示するように上面を凸孤面形に形成する振分け凸部材たる頂部１６を中央に配置し、その両側部から上面を同様に凸孤面形に形成する左右の橋部１２ａ，１２ｂを延設して全体として円弧状をなすように形成してあり、上記頂部１６及び左右の橋部１２ａ，１２ｂは共にパチンコ球を受け取り上面に沿って左右に流すことができる奥行き幅をもって形成してある。
【００３８】
そして、この誘導橋１２は、図５に示すように係止爪１５を前記左右の橋部１２ａ，１２ｂの各両端部の後方縁に後向きに突き出すように設け、前記枠体１０のフランジ１１に穿つ装着受部たるスリット状の係止孔１７に各対応するようにしてある。
従って、枠体１０の前面側から誘導橋１２を押し付け、各係止孔１７にそれぞれ係止爪１５を挿入し掛け止めると、両者は一体に結合して図４に示したように枠体１０の上枠部１０ａから左右の側枠部１０ｂ，１０ｃに渡って、左右の橋部１２ａ，１２ｂが枠体の左右の上部隅部１３ａ，１３ｂを横切って斜めに渡ることになる。
【００３９】
図中１８は、前記枠体１０の下部の左右の隅部１３ｃ，１３ｄを斜めに横切って渡す誘導用の第２の橋である。
この第２の橋１８は前記通過領域１４ａ，１４ｂを通過する打球を表示画面６の中央部直下に設けられる前記始動入賞口７に誘導するためのルートを形成するものであり、打球を誘導する釘列を形成することができない表示画面６の前面を跨いで前記通過領域１４ａ，１４ｂから直接始動入賞口７に向けて打球を誘導することができるものとなっている。
【００４０】
この第２の橋１８は、各両端に前記誘導橋１２に形成する係止爪１５と同様の係止爪１９を後向きに突設し、この係止爪１９を同じく枠体１０のフランジ１１に開設するスリット状の係止孔２０に係入することでこのフランジ１１の前面に取付くことができるようにしてある。
【００４１】
上述の如く構成された枠体１０は、前述したように遊技盤１の窓５に前面側から嵌め入れてフランジ１１を当接したのち、このフランジ１１に形成する取付耳片２１の孔にビス２２を通し、遊技盤前面のネジ受け孔２３に揉み込むことで固定することになる。
【００４２】
図中２４は、通過領域１４ａ，１４ｂに植設した釘で、２５は風車であり、これらは通過領域１４ａ，１４ｂに入った打球を始動入賞口７に誘導するため設けられており、釘列の先端は第２の橋１８に臨むようにしてある。
このため、上記釘２４、風車２５に誘導されて第２の橋１８に誘導された打球は、この橋の傾斜に従って枠体１０の下部の隅部１３ｃ（又は１３ｄ）を横切って枠体１０の下枠部１０ｄの中央部方向に転がり、始動入賞口７へと向うことになる。
【００４３】
尚、枠体１０の下枠部１０ｄはステージ２６を構成し、釘２４、風車２５に衝突することによって、或は第２の橋１８を渡る途中で後方に転落した打球を受け入れ、中央部の凹曲面部を転して左右に往復させながら始動入賞口７へ誘導するようにしてある。
【００４４】
本発明に係るパチンコ遊技機は、上述の如く構成されることから、遊技部３に打込まれた打球はそのまゝ落下し、表示画面６の上枠部１０ａに達したのち、従来は表示画面６の上部左右いずれかの隅部とレール２との隙間に向けて誘導され、この隙間によって形成される通過空間を通してその下方に設置される始動入賞口７等の入賞口に送られることになるが、本発明によれば、表示画面６の上枠部１０ａに達した打球は、この上枠部に臨む誘導橋１２を渡って上部隅部１３ａ（又は１３ｂ）を横切り表示画面６の前方を通過して側枠部１０ｂ（又は１０ｃ）に向い、この側枠部とレール２との間隔が広くなった通過領域１４ａ（又は１４ｂ）に放出されることになり、これより下方の各入賞口に送り出されることになる。
【００４５】
この様に、本発明は打球を表示画面の隅部１３ａ，１３ｂとレール２との狭い空間を通すことなく、誘導橋１２を通すことで表示画面６の側方から下方に向けての広い空間に放出することが可能となることから、上記隅部１３ａ，１３ｂがレール２の内周に接近することを意識することなく表示画面６の拡大を図ることが可能となる。
更に言うならば、この表示画面の拡大は、上述するように打球を誘導橋１２を通して放出することができることから実質的には上部隅部１３ａ，１３ｂがレール２の内周に当接するまで拡大することが可能であり、大型化を実現することができるものとなっている。
【００４６】
そして、本発明においては表示画面６の大型化に伴って上部の隅部１３ａ，１３ｂがレール２に接近しても左右の橋部１２ａ，１２ｂとレール２との間には充分な広さの通過領域１４ａ，１４ｂを確保することができるため、これに設ける釘２４、風車２５等の障害設備に向けて打球を好適な角度で落下、誘導することが可能である。従って、通過ルートが特定されない利点があり、落下の変化を充分楽しむことができるものとなる。
【実施例２】
【００４７】
図６，図７は本発明の第２の実施例を示す。この実施例は前記実施例１において表示画面６の枠体１０に対して誘導橋１２を別体に形成したのに対して、枠体１０を合成樹脂素材を以て成形する際に一体に形成し、構造的に複雑になる頂部１６のみを別体に形成して後から組付けるようにした例である。
尚、前記実施例１と同一の部所については共通する符号を付して説明を省略することにする。以下、その他の実施例についても同様とする。
【００４８】
この実施例では下部の左右の隅部１３ｃ，１３ｄに渡す第２の橋１８，１８についても枠体１０と一体に形成するものとしているが、前記頂部１６については図示するように枠体１０の上部の隅部１３ａ，１３ｂを横切って渡される橋部１２ａ，１２ｂの両端部間に嵌め入れることによって一体に組付けるものとしている。そして、ここでは頂部１６の両端部に形成する切欠き部２８に上記橋部１２ａ，１２ｂの端部を嵌め入れ、左右の橋部との一体化を図ると共に、フランジ１１から上方に延設する取付片２９に背面に突設する取付ボス３０を当接し、ビス３１によってネジ止めすることで一体に組付けるようにしている。
【００４９】
この頂部１６を別体に形成する理由の一つは前述の通り、枠体１０との一体成形が構造的に極めて厄介になることにあるが、他の理由としてこの頂部１６は表示画面６の縁部を飾る上で重要な地位を占めていることから、異なる形状の頂部を複数個用意し、その組合せの変更を可能にして、この変更を通して表示画面のデザインの変更を容易に行えるようにすることにある。
従って、図示しないが上面を略半円弧面形状に形成した頂部１６とは異なる、例えば左右に下り勾配の傾斜を備える屋根形の頂部を形成し、これと組替えるようにすることで、円弧状のものとは全く印象を違えた飾りを簡単に作ることが可能となる。
【００５０】
この実施例における誘導橋１２も前記実施例１におけるものと全く同様に作用するもので、表示画面６の上方から落下する打球は頂部１６を境に左右に振り分けられ左右いずれかの橋部１２ａ，１２ｂに誘導されると共に、この橋部を通して枠体１０の上枠部１０ａから左右の側枠部１０ｂ又は１０ｃに誘導され、両側方の広い空間として開けられた通過領域１４ａ，１４ｂへと放出されることになる。
【実施例３】
【００５１】
図８〜図１０は本発明の第３の実施例を示したものである。この実施例は誘導橋１２の左右の橋部１２ａ，１２ｂの後縁部に打球の後方への落下を防止する転落防止用壁３２，３２を長さ方向に沿って立設した例である。
この転落防止用壁３２は枠体１０の上部の左右の隅部を塞ぐことから、画面６のこの部分における露出を妨げることになるが、高い位置から表示画面の前面を横断して下枠部のステージ２６上に打球が落下することは好ましくなく、騒音の発生や破損の危険もあるのでこれらを防止する上で有効に作用する。
【００５２】
尚、誘導橋上を転がる打球の前後方向への落下防止手段としては頂部１６を含む左右の
橋部１２ａ，１２ｂの上面に長さ方向、つまり左右方向に沿って誘導凹部たる溝を形成し、この溝に沿って誘導するようにしてもよい。この場合、橋部１２ａ，１２ｂは厚みを増すことになるが、転落防止用壁３２を立設する場合に比べて隅部の被覆割合は小さくなり、画面の広り感を失う割合が小さくなる。
【００５３】
以上、本発明の実施の形態について各実施例を基にして説明したが、誘導橋１２は透明な合成樹脂を材料に形成し、隅部における視認性を確保してもよく、また機種によって打球の誘導が表示画面の一側方に限られる場合は、他方の隅部に対して橋部を形成する必要がなくなるので、片側の隅部についてのみ誘導橋１２の橋部１２ａ（又は１２ｂ）を渡せばよいことになる。
【図面の簡単な説明】
【００５４】
【図１】使用状態を示す遊技盤の正面図。
【図２】図１の平面図。
【図３】図１のＡ−Ａ線に沿って断面とした平面図。
【図４】要部の拡大斜視図。
【図５】要部の拡大分解斜視図。
【図６】第２の実施例における要部の拡大斜視図。
【図７】図６の分解斜視図。
【図８】第３の実施例における使用状態を説明する遊技盤の正面図。
【図９】図８の要部の拡大斜視図。
【図１０】図８における誘導橋の拡大斜視図である。
【符号の説明】
【００５５】
１              遊技盤
２              レール
３              遊技部
４              可変表示装置
５              窓
６              表示画面
７              始動入賞口
８              大入賞口
１０            表示画面を囲む枠体
１０ａ          枠体の上枠部  
１０ｂ，１０ｃ  枠体の側枠部
１０ｄ          枠体の下枠部
１１            枠体の前縁部に沿って形成したフランジ
１２            誘導橋
１２ａ，１２ｂ  誘導橋の左右の橋部
１３ａ，１３ｂ  枠体の上部左右の隅部
１３ｃ，１３ｄ  枠体の下部左右の隅部
１４ａ，１４ｂ  打球の通過領域
１６            誘導橋の中央部に形成した振分け凸部材たる頂部
１８            枠体の下部の隅部に渡す第２の橋
２４            釘
２５            風車
３２            転落防止用壁
【図１】
2006304911.tif 000003
【図２】
2006304911.tif 000004
【図３】
2006304911.tif 000005
【図４】
2006304911.tif 000006
【図５】
2006304911.tif 000007
【図６】
2006304911.tif 000008
【図７】
2006304911.tif 000009
【図８】
2006304911.tif 000010
【図９】
2006304911.tif 000011
【図１０】
2006304911.tif 000012